(57)【要約】【課題】携帯電話の形状やサイズによる制約を受けず，腰ベルトに対して使用者が自由な向きに携帯電話を装着でき，ストラップを引っ掛けて携帯電話の脱落を防止する非ロック形式の左右対称形ストッパーを備えた携帯電話ホルダーを提供する。【解決手段】ホルダーシートの表面に面ファスナーの一方の面材を貼り付け，携帯電話の脱落防止用の非ロック形式の左右対称形ストッパーを備え，さらにホルダーシートの裏面に腰ベルトに装着するための環状の取り付けバンドを備えるとともに，携帯電話の裏面に面ファスナーの他方の面材を貼り付けて構成される携帯電話ホルダー。【選択図】図１
0003129717.tif 000002
【実用新案登録請求の範囲】
【請求項１】
携帯電話を腰ベルトに装着するためのホルダーに関し，ホルダーシートの表面に面ファスナーの一方の面材を貼り付け，かつ携帯電話のストラップを引っ掛けて携帯電話の脱落を防止する非ロック形式の左右対称形ストッパーを有し，ホルダーシートの裏側に環状の取り付けバンドを備えるとともに，携帯電話の裏面の一部に面ファスナーの他方の面材を貼り付けて構成する携帯電話ホルダー。
【考案の詳細な説明】
【技術分野】
【０００１】本考案は，携帯電話を形状やサイズに関係なく，腰ベルトに対して直角，平行など自由な方向に装着でき，携帯電話のストラップを引っ掛けるだけで簡単に携帯電話の脱落を防止できる非ロック形式の左右対称形ストッパーを備えた携帯電話ホルダーに関する。
【背景技術】
【０００２】携帯電話はそのまま衣服のポケットやカバンに収納して持ち歩くことが多いが，この様な収納方法では携帯電話を落として損傷したり，呼び出された時にすぐに応答し難いなどの難点を有している。さらに夏季には上着を着用しない場合も多く，携帯電話を収納するポケットすら無い場合も有る。この様な問題を解決する方法として，携帯電話をケースに収納してケースの裏面に固着した支持板に設けたフック片を腰ベルトに差し込んで装着する方法などが一般的に実用化されている。
【考案が解決しようとする課題】
【０００３】従来から実用化されている腰ベルトへの装着方法では，携帯電話をケースに入れて腰ベルトに装着する構造のため，ケースの形状やサイズによって装着できる携帯電話が限定され，携帯電話の機種を変更した際に携帯電話ホルダーも携帯電話に合ったものに交換することが必要となることも度々であった。
【０００４】また，ケースの形状によって携帯電話を腰ベルトに装着する方向が使用者の自由にならず，直角か水平かが決まってしまい，直角装着のタイプでは携帯電話のケースを腰ベルトに装着した状態で椅子や座席に座ると，ケースが腹部に接触して邪魔になる欠点を有している。
【０００５】さらに，携帯電話の脱落を防止するために，ケースの蓋にスナップが取り付けられており，携帯電話を取り出すときにはスナップを外さなければならず，携帯電話に呼び出しが入ったときに速やかな応答が困難な問題も有している。
【０００６】携帯電話がケースに入れられているため，ケースから取り出さないと携帯電話のデザインや色を楽しむことが出来ないことも欠点である。
【課題を解決するための手段】
【０００７】上記する種々の課題を解決するため，本考案に係る携帯電話ホルダーは，ホルダーシートの表面に面ファスナーの一方の面を貼り付け，かつ携帯電話のストラップを引っ掛けて携帯電話の脱落を防止する非ロック形式の左右対称形ストッパーを形成するとともに，ホルダーの裏面に腰ベルトに装着するための環状の取り付けバンドが形成され，さらに携帯電話の裏面の一部に面ファスナーの他方の面材を貼り付けて構成される。
【考案の効果】
【０００８】本考案は，携帯電話を腰ベルトに装着する新規な方法を提案することで，前記する従来の欠点の全てを解決するものであり，携帯電話の形状やサイズによる制約を受けず，腰ベルトに対して使用者が携帯電話を自由な方向に装着でき，携帯電話に取り付けられるストラップを非ロック形式の左右対称形ストッパーに引っ掛けるだけで，携帯電話の脱落が防止され，取り外しは極めて簡単であるため呼び出しに対して速やかな応答が可能である。当然，携帯電話はケースなどには入れず露出しているため，腰ベルトに装着した状態で携帯電話のデザインや色を楽しむ事ができる。
【考案を実施するための最良の形態】
【０００９】本考案に係る携帯電話ホルダーは，図１に示すように金属，樹脂，皮革，布地など比較的硬い材質で出来ているホルダーシート１の表面に面ファスナー２のループ面材またはフック面材を貼り付ける。面ファスナーの貼り付けとは，縫い付け，接着，リベット止め，融着などを意味し，これらを組み合わせても良い。また面ファスナー２の大きさは，ホルダーシート１の表面全体の必要は無く，携帯電話６の裏面に貼り付けられる面ファスナー７で携帯電話６が確実に接着できるサイズで良い。【００１０】ホルダーシート１の表面に貼り付けられた面ファスナー２と，携帯電話の裏面に貼り付けられた面ファスナー７で両者を接着する構造であるが，万一剥離が発生した場合は携帯電話が脱落して損傷する危険があるため，携帯電話のストラップ８を引っ掛ける非ロック形式の左右対称形ストッパー３が構成されている。この非ロック形式の左右対称形ストッパー３はストラップを引っ掛け易く，外し易く，かつ外れにくい構造とするために，左右対称な形状としロック機構は付けない。【００１１】非ロック形式の左右対称形ストッパー３は，図３に示すごとくロック機構を保有しない左右対称な構造を有するストッパーである。携帯電話に取り付けられるストラップは携帯電話の機種によって左右，上下など取り付け位置はさまざまであるため，ストラップをストッパーに引っ掛けるとき，外すときにストッパーが左右対称であることが望ましいとともに，左右対称であれば引っ掛けられたストッパーが外れにくい。非ロック形式で左右対称に構成されるストッパーとしては図３の９〜１２に例を示すごとく多種多様なものが考えられる。１３は引っ掛けられたストラップを示す。【００１２】携帯電話ホルダー１は前述する基本構造に加えて，裏面には腰ベルトに装着するための環状の取り付けバンド５を備える。【００１３】図２は携帯電話の例を示し，携帯電話６の裏面には面ファスナー７が貼り付けられ，ホルダーシート１の表面に貼り付けられた面ファスナー２と接着させる。８は携帯電話の吊り下げストラップである。
【実施例】
【００１４】次に本考案を実施例に基づいて説明するが，本考案は実施例に限定されるものではない。本考案に係る携帯電話ホルダーは図１に示すようにホルダーシート１，非ロック形式の左右対称形ストッパー３，ならびに取り付けバンド５は樹脂材で一体構成した。ほぼ矩形のホルダーシート１の表面に面ファスナー２（商品名：マジックテープ）のループ面材を貼り付けているが，ホルダーシートの形状は矩形に限定されるものではなく，ファスナーのサイズや形状に関しては携帯電話が接着できれば十分であり，サイズは３ｃｍ角程度の面積が有ればよく形状も自由度が高い。非ロック形式の左右対称形ストッパー３に関しては図３に示すＴ形ストッパー９を形成した。外れ防止のための突起４とホルダーシート１との間隔を一般的なストラップの太さを参考として約３ｍｍ程度とした。取り付けバンド５はバネ構造とした。
なお，図１に示されるホルダーシート１，非ロック形式の左右対称形ストッパー３，取り付けバンド５などの材質，硬度，伸縮性などはそれぞれに最適に選定して良く，かつ全てが一体構造である必要も無い。また，非ロック形式の左右対称形ストッパーはＴ形を例としたが，これはＴ形に限定される必要は無く，右からも左からもストラップの引っ掛け，ならびに外しが容易で，かっ外れにくい構造のために左右の対称性が保たれていれば如何なる形でも良い。また非ロック形式の左右対称形ストッパー３におけるストラップを外れ難くする突起４は有る事が望ましいが，無くても実用的には問題は無い。取り付けバンド５に関しては，ベルトに装着するためにバネ構造，またはベルトを挿通させるために環状構造であても良い。
【図面の簡単な説明】
【００１５】
【図１】本考案に係る携帯電話ホルダーの一例を示す斜視図である。
【図２】携帯電話に装着用の面ファスナーを貼り付けた一例を示す斜視図である。
【図３】非ロック形式の左右対称形ストッパーの例を示す概念図である。
【符号の説明】
１  ホルダーシート
２  面ファスナー
３  非ロック形式の左右対称形ストッパー
４  外れ防止用の突起
５  取り付けバンド
６  携帯電話
７  面ファスナー
８  ストラップ
９  Ｔ形ストッパー
１０  Ｕ形ストッパー
１１  Ｃ形ストッパー
１２  Ｏ形ストッパー
１３  ストラップ
【図１】
0003129717.tif 000003
【図２】
0003129717.tif 000004
【図３】
0003129717.tif 000005
【手続補正書】
【提出日】平成18年10月23日(2006.10.23)
【手続補正１】
【補正対象書類名】明細書
【補正対象項目名】００１４
【補正方法】変更
【補正の内容】
【００１４】次に本考案を実施例に基づいて説明するが，本考案は実施例に限定されるものではない。本考案に係る携帯電話ホルダーは図１に示すようにホルダーシート１，非ロック形式の左右対称形ストッパー３，ならびに取り付けバンド５は樹脂材で一体構成した。ほぼ矩形のホルダーシート１の表面に面ファスナー２のループ面材を貼り付けているが，ホルダーシートの形状は矩形に限定されるものではなく，ファスナーのサイズや形状に関しては携帯電話が接着できれば十分であり，サイズは３ｃｍ角程度の面積が有ればよく形状も自由度が高い。非ロック形式の左右対称形ストッパー３に関しては図３に示すＴ形ストッパー９を形成した。外れ防止のための突起４とホルダーシート１との間隔を一般的なストラップの太さを参考として約３ｍｍ程度とした。取り付けバンド５はバネ構造とした。なお，図１に示されるホルダーシート１，非ロック形式の左右対称形ストッパー３，取り付けバンド５などの材質，硬度，伸縮性などはそれぞれに最適に選定して良く，かつ全てが一体構造である必要も無い。また，非ロック形式の左右対称形ストッパーはＴ形を例としたが，これはＴ形に限定される必要は無く，右からも左からもストラップの引っ掛け，ならびに外しが容易で，かつ外れにくい構造のために左右の対称性が保たれていれば如何なる形でも良い。また非ロック形式の左右対称形ストッパー３におけるストラップを外れ難くする突起４は有る事が望ましいが，無くても実用的には問題は無い。取り付けバンド５に関しては，ベルトに装着するためにバネ構造，またはベルトを挿通させるために環状構造であても良い。